【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
ＲＡＷ画像データを取得する第１取得手段と、
前記ＲＡＷ画像データに基づく画像の表示に用いられる表示部の表示輝度である第１輝度に関する第１輝度情報を取得する第２取得手段と、
現像処理で使用される現像パラメータを、前記第２取得手段によって取得された第１輝度情報に基づいて設定する設定手段と、
前記設定手段によって設定された現像パラメータを用いた現像処理を、前記第１取得手段によって取得されたＲＡＷ画像データに施す現像手段と、
を有する
ことを特徴とする画像処理装置。
【請求項２】
前記設定手段は、
前記第１輝度が第１閾値未満である場合に第１現像パラメータを設定する第１処理と、
前記第１閾値以上の値である第２閾値よりも前記第１輝度が高い場合に第２現像パラメータを設定する第２処理と、
の少なくとも一方を行う
ことを特徴とする請求項１に記載の画像処理装置。
【請求項３】
前記第１現像パラメータは、前記ＲＡＷ画像データの取り得る複数の階調値の少なくともいずれかについて、前記現像処理が施された後の階調値に対応する表示輝度として、所定の現像パラメータを用いた場合に実現される表示輝度よりも高い表示輝度を実現し、
前記第２現像パラメータは、前記ＲＡＷ画像データの取り得る複数の階調値の少なくともいずれかについて、前記現像処理が施された後の階調値に対応する表示輝度として、前記所定の現像パラメータを用いた場合に実現される表示輝度よりも低い表示輝度を実現する
ことを特徴とする請求項２に記載の画像処理装置。
【請求項４】
前記第１処理では、前記所定の現像パラメータを補正することにより、前記第１現像パラメータが生成され、
前記第２処理では、前記所定の現像パラメータを補正することにより、前記第２現像パラメータが生成される
ことを特徴とする請求項３に記載の画像処理装置。
【請求項５】
前記ＲＡＷ画像データを用いた過去の処理において使用された装置に関する装置情報を取得する第３取得手段と、
前記装置情報に基づいて前記第１閾値と前記第２閾値の少なくとも一方を決定する決定手段と、
をさらに有することを特徴とする請求項２〜４のいずれか１項に記載の画像処理装置。
【請求項６】
前記過去の処理において使用された装置は、前記ＲＡＷ画像データに基づく画像を表示する表示装置を含み、
前記装置情報は、前記表示装置の表示輝度である第２輝度に関する第２輝度情報を含み、
前記決定手段は、前記第２輝度情報に基づいて、前記第２輝度と略同一の値を前記第１閾値として決定する処理と、前記第２輝度と略同一の値を前記第２閾値として決定する処理との少なくとも一方を行う
ことを特徴とする請求項５に記載の画像処理装置。
【請求項７】
前記第２輝度情報は、前記過去の処理の期間における第２輝度に関する
ことを特徴とする請求項６に記載の画像処理装置。
【請求項８】
前記第２輝度情報は、前記表示装置の画面内の複数の領域にそれぞれ対応する複数の第２輝度の平均値、前記複数の第２輝度の最大値、前記複数の第２輝度の最小値、前記ＲＡＷ画像データの輝度に関する特徴量と前記第２輝度との対応関係、前記過去の処理の期間における複数のタイミングにそれぞれ対応する複数の第２輝度の平均値、の少なくともいずれかに関する
ことを特徴とする請求項６または７に記載の画像処理装置。
【請求項９】
前記第２輝度情報は、複数の第２輝度に関連し、
前記決定手段は、前記複数の第２輝度のうち、前記第１輝度に最も近い第２輝度に基づいて、前記第１閾値と前記第２閾値の少なくとも一方を決定する
ことを特徴とする請求項６〜８のいずれか１項に記載の画像処理装置。
【請求項１０】
前記第２輝度に応じた第１輝度の設定を前記表示部に指示する指示手段、をさらに有する
ことを特徴とする請求項６〜９のいずれか１項に記載の画像処理装置。
【請求項１１】
前記装置情報は、前記ＲＡＷ画像データのメタデータに含まれた情報であり、
前記第３取得手段は、前記メタデータから前記装置情報を抽出する
ことを特徴とする請求項５〜１０のいずれか１項に記載の画像処理装置。
【請求項１２】
前記所定の現像パラメータを取得する第４取得手段、をさらに有する
ことを特徴とする請求項３または４に記載の画像処理装置。
【請求項１３】
前記所定の現像パラメータは、前記ＲＡＷ画像データのメタデータに含まれた現像パラメータであり、
前記第４取得手段は、前記メタデータから前記所定の現像パラメータを抽出する
ことを特徴とする請求項１２に記載の画像処理装置。
【請求項１４】
前記設定手段は、前記第４取得手段によって前記所定の現像パラメータが取得された場合と、制限された表示輝度が前記第１輝度として使用される場合との少なくとも一方において、前記第１処理と前記第２処理の少なくとも一方を行う
ことを特徴とする請求項１２または１３に記載の画像処理装置。
【請求項１５】
前記第１処理では、前記ＲＡＷ画像データの取り得る複数の階調値の少なくともいずれかについて、前記所定の現像パラメータを用いた場合に実現される表示輝度と、前記第１現像パラメータを用いた場合に実現される表示輝度との差として、前記第１輝度と前記第１閾値の差が大きいほど大きい差が実現されるように、前記第１現像パラメータが決定される
ことを特徴とする請求項３，４，１２〜１４のいずれか１項に記載の画像処理装置。
【請求項１６】
前記第２処理では、前記ＲＡＷ画像データの取り得る複数の階調値の少なくともいずれかについて、前記所定の現像パラメータを用いた場合に実現される表示輝度と、前記第２現像パラメータを用いた場合に実現される表示輝度との差として、前記第１輝度と前記第２閾値の差が大きいほど大きい差が実現されるように、前記第２現像パラメータが決定される
ことを特徴とする請求項３，４，１２〜１５のいずれか１項に記載の画像処理装置。
【請求項１７】
前記所定の現像パラメータは、前記ＲＡＷ画像データに基づく画像の過去の表示において使用された現像パラメータである
ことを特徴とする請求項３，４，１２〜１６のいずれか１項に記載の画像処理装置。
【請求項１８】
前記設定手段は、前記第１現像パラメータも前記第２現像パラメータも設定しない場合に、前記所定の現像パラメータを設定する
ことを特徴とする請求項３，４，１２〜１７のいずれか１項に記載の画像処理装置。
【請求項１９】
前記設定手段は、前記第１処理、前記第２処理、及び、前記第１輝度が前記第１閾値以上かつ前記第２閾値以下である場合に前記所定の現像パラメータを設定する第３処理を行う
ことを特徴とする請求項３，４，１２〜１８のいずれか１項に記載の画像処理装置。
【請求項２０】
前記第１輝度は、前記表示部の表示輝度の上限である
ことを特徴とする請求項１〜１９のいずれか１項に記載の画像処理装置。
【請求項２１】
ＲＡＷ画像データを取得する第１取得ステップと、
前記ＲＡＷ画像データに基づく画像の表示に用いられる表示部の表示輝度である第１輝度に関する第１輝度情報を取得する第２取得ステップと、
現像処理で使用される現像パラメータを、前記第２取得ステップによって取得された第１輝度情報に基づいて設定する設定ステップと、
前記設定ステップによって設定された現像パラメータを用いた現像処理を、前記第１取得ステップによって取得されたＲＡＷ画像データに施す現像ステップと、
を有する
ことを特徴とする画像処理方法。
【請求項２２】
請求項２１に記載の画像処理方法の各ステップをコンピュータに実行させるためのプログラム。
【手続補正２】
【補正対象書類名】明細書
【補正対象項目名】００１０
【補正方法】変更
【補正の内容】
【００１０】
本発明の第１の態様は、
ＲＡＷ画像データを取得する第１取得手段と、
前記ＲＡＷ画像データに基づく画像の表示に用いられる表示部の表示輝度である第１輝度に関する第１輝度情報を取得する第２取得手段と、
現像処理で使用される現像パラメータを、前記第２取得手段によって取得された第１輝度情報に基づいて設定する設定手段と、
前記設定手段によって設定された現像パラメータを用いた現像処理を、前記第１取得手段によって取得されたＲＡＷ画像データに施す現像手段と、
を有する
ことを特徴とする画像処理装置である。
【手続補正３】
【補正対象書類名】明細書
【補正対象項目名】００１１
【補正方法】変更
【補正の内容】
【００１１】
本発明の第２の態様は、
ＲＡＷ画像データを取得する第１取得ステップと、
前記ＲＡＷ画像データに基づく画像の表示に用いられる表示部の表示輝度である第１輝度に関する第１輝度情報を取得する第２取得ステップと、
現像処理で使用される現像パラメータを、前記第２取得ステップによって取得された第１輝度情報に基づいて設定する設定ステップと、
前記設定ステップによって設定された現像パラメータを用いた現像処理を、前記第１取得ステップによって取得されたＲＡＷ画像データに施す現像ステップと、
を有する
ことを特徴とする画像処理方法である。
【手続補正４】
【補正対象書類名】明細書
【補正対象項目名】００４９
【補正方法】変更
【補正の内容】
【００４９】
図３（Ｃ）は、入力階調値と出力階調値との対応関係の一例を示す。図３（Ｃ）は、第２現像パラメータを用いた場合の例を示す。図３（Ｃ）に示すように、第２現像パラメータが使用された場合には、各入力階調値が、図３（Ａ）の出力階調値よりも小さい出力階調値へ変換される。具体的には、図３（Ｃ）では、０から４０９５への入力階調値の増加に対して、図３（Ａ）の傾きよりも小さい傾きで、出力階調値が０から線形に増加する。
【手続補正５】
【補正対象書類名】明細書
【補正対象項目名】００５０
【補正方法】変更
【補正の内容】
【００５０】
図３（Ｃ）の対応関係を実現する第２現像パラメータは、図３（Ａ）の対応関係の傾きがＭ倍（Ｍは１よりも小さい）されるように基準の現像パラメータを補正することにより、得ることができる。Ｍの値は、予め決められた固定値であってもよいし、適宜変更される値であってもよい。例えば、第１輝度と第２閾値の差などに基づいてＭの値が決定されてもよい。第１輝度が第２閾値よりも高く、且つ、基準の現像パラメータが使用される場合を考える。この場合には、第１輝度と第２閾値の差が大きいほど過去の表示との表示輝度の差が大きい表示が行われる可能性が高い。そのため、ＲＡＷ画像データの取り得る複数の階調値の少なくともいずれかについて以下の条件４を満たように、第２現像パラメータが決定されることが好ましい。そのような第２現像パラメータは、例えば、第１輝度と第２閾値の差が小さい値をＭの値として使用することで、得ることができる。
条件４：基準の現像パラメータを用いた場合に実現される表示輝度と、第２現像パラメータを用いた場合に実現される表示輝度との差として、第１輝度と第２閾値の差が大きいほど大きい差が実現される。